(57)【要約】【課題】画像の表示にかかる時間を短縮すること。【解決手段】確保部は、表示装置の表示領域の全画素分のデータを一時的に記憶することができる一時記憶領域を、所定回数分以上確保する。取得部は、表示データを取得する。書き込み部は、所定回数分の一時記憶領域のそれぞれに対して、取得された表示データを所定の順番で書き込む。転送部は、一の一時記憶領域に書き込まれている表示データを、表示駆動回路へ転送する。一の表示データを形成する複数の部分表示データを順次表示装置に表示させる場合、部分表示データが取得されるごとに、当該部分表示データを最初に書き込む一時記憶領域を１つずらして、所定回数分の一時記憶領域のそれぞれに対して、当該部分表示データを所定の順番で書き込み、当該部分表示データが最初に書き込まれた一時記憶領域に書き込まれている表示データを、表示装置へ転送する。【選択図】図３
2011257864.tif 000002
【特許請求の範囲】
【請求項１】
一の表示データに応じた画像を表示する場合に、当該画像の表示位置に対応する複数の画素のそれぞれに対して、所定回数の電圧印加をおこなう表示装置による表示を制御する表示制御方法であって、
表示データを一時的に格納するバッファーメモリー上に、前記表示装置の表示領域の全画素分のデータを一時的に記憶することができる一時記憶領域を複数確保する確保工程と、
表示データを取得する取得工程と、
複数の前記一時記憶領域のうち前記所定回数分の一時記憶領域のそれぞれに対して、取得された前記表示データを書き込む書き込み工程と、
複数の前記一時記憶領域のうち一の一時記憶領域に書き込まれている表示データを、前記表示装置へ転送する転送工程と
を備え、
前記確保工程によって、
前記所定回数分以上の前記一時記憶領域を確保し、
一の表示データが所定の書き込み時間毎の複数の部分表示データに区切られ、この複数の部分表示データを順次前記表示装置に表示させる場合、前記取得工程で前記部分表示データが取得されるごとに、
前記書き込み工程によって、
当該部分表示データを最初に書き込む前記一時記憶領域を１つずらして、前記所定回数分の一時記憶領域のそれぞれに対して、当該部分表示データを所定の順番で書き込み、
前記転送工程によって、
当該部分表示データが最初に書き込まれた前記一時記憶領域に書き込まれている部分表示データを、前記表示装置へ転送する
ことを特徴とする表示制御方法。
【請求項２】
前記確保工程では、
前記表示領域を複数の部分表示領域に区分し、これに対応させて、複数の部分一時記憶領域に区分された前記一時記憶領域を、前記バッファーメモリー上に確保し、
前記転送工程では、
前記複数の部分一時記憶領域のうち、前記表示データが書き込まれた部分一時記憶領域については、当該部分一時記憶領域のデータを前記表示装置へ転送し、前記表示データが書き込まれなかった部分一時記憶領域については、当該部分一時記憶領域のデータを前記表示装置へ転送しない
ことを特徴とする請求項１に記載の表示制御方法。
【請求項３】
前記転送工程において前記部分一時記憶領域のデータを前記表示装置へ転送した時点では、当該部分一時記憶領域に書き込まれている古い部分表示データを消去せず、
前記転送工程において前記部分一時記憶領域のデータを前記表示装置へ転送した後、前記書き込み工程において当該部分一時記憶領域に対して新たな部分表示データを書き込む際に、当該部分一時記憶領域に書き込まれている古い部分表示データを消去する
ことを特徴とする請求項２に記載の表示制御方法。
【請求項４】
一の表示データに応じた画像を表示する場合に、当該画像の表示位置に対応する複数の画素のそれぞれに対して、所定回数の電圧印加をおこなう表示駆動回路による表示を制御する表示制御装置であって、
表示データを一時的に格納するバッファーメモリー上に、前記表示装置の表示領域の全画素分のデータを一時的に記憶することができる一時記憶領域を複数確保する確保部と、
表示データを取得する取得部と、
複数の前記一時記憶領域のうち前記所定回数分の一時記憶領域のそれぞれに対して、取得された前記表示データを書き込む書き込み部と、
複数の前記一時記憶領域のうち一の一時記憶領域に書き込まれている表示データを、前記表示駆動回路へ転送する転送部と
を備え、
前記確保部によって、
前記所定回数分以上の前記一時記憶領域を確保し、
一の表示データが所定の書き込み時間毎の複数の部分表示データに区切られ、この複数の部分表示データを順次前記表示装置に表示させる場合、前記取得部が前記部分表示データを取得するごとに、
前記書き込み部によって、
当該部分表示データを最初に書き込む前記一時記憶領域を１つずらして、前記所定回数分の一時記憶領域のそれぞれに対して、当該部分表示データを所定の順番で書き込み、
前記転送部によって、
当該部分表示データが最初に書き込まれた前記一時記憶領域に書き込まれている部分表示データを、前記表示装置へ転送する
ことを特徴とする表示制御装置。
【発明の詳細な説明】
【技術分野】
【０００１】
本発明は、表示制御方法および表示制御装置に関する。
【背景技術】
【０００２】
特許文献１には、表示面上をスタイラスペンが移動した軌跡をタッチパネルによって検出し、検出した軌跡を示す軌跡データを生成し、生成した軌跡データに応じた画像データを生成し、これを表示する表示装置が記載されている。
【先行技術文献】
【特許文献】
【０００３】
【特許文献１】特開２００９−１２９３５２号公報
【発明の概要】
【発明が解決しようとする課題】
【０００４】
特許文献１に記載されているような電気泳動方式を用いた表示装置においては、その構造上、一の表示データに応じた画像を表示するために、この画像の位置に対応する複数の画素のそれぞれに対して、複数回の電圧印加をおこなう必要がある。一度だけの電圧印加では所定の表示濃度を確保することができないからである。このため、上記した表示装置では、同一の表示データに対して、バッファーメモリーへの書き込み処理およびバッファーメモリーから表示装置への転送処理を複数回おこなう必要があり、１回分の上記書き込み処理および上記転送処理が終わるまで、次回分の上記書き込み処理を開始することができない。したがって、複数回分の電圧印加が行われるまで時間がかかり、結果的に、画像の表示レスポンスの悪化を招いていた。
【０００５】
本発明にかかる幾つかの態様は、上記課題を解決することで、表示データに応じた画像の表示にかかる時間を短縮することができる表示制御方法および表示制御装置を提供するものである。
【課題を解決するための手段】
【０００６】
上記課題を解決するため、本発明の第１の態様の表示制御方法は、一の表示データに応じた画像を表示する場合に、当該画像の表示位置に対応する複数の画素のそれぞれに対して、所定回数の電圧印加をおこなう表示装置による表示を制御する表示制御方法であって、表示データを一時的に格納するバッファーメモリー上に、前記表示装置の表示領域の全画素分のデータを一時的に記憶することができる一時記憶領域を複数確保する確保工程と、表示データを取得する取得工程と、複数の前記一時記憶領域のうち前記所定回数分の一時記憶領域のそれぞれに対して、取得された前記表示データを書き込む書き込み工程と、複数の前記一時記憶領域のうち一の一時記憶領域に書き込まれている表示データを、前記表示装置へ転送する転送工程とを備え、前記確保工程によって、前記所定回数分以上の前記一時記憶領域を確保し、一の表示データが所定の書き込み時間毎の複数の部分表示データに区切られ、この複数の部分表示データを順次前記表示装置に表示させる場合、前記取得工程で前記部分表示データが取得されるごとに、前記書き込み工程によって、当該部分表示データを最初に書き込む前記一時記憶領域を１つずらして、前記所定回数分の一時記憶領域のそれぞれに対して、当該部分表示データを所定の順番で書き込み、前記転送工程によって、当該部分表示データが最初に書き込まれた前記一時記憶領域に書き込まれている部分表示データを、前記表示装置へ転送することを特徴とする。上記本発明に係る表示制御方法によれば、複数回分の書き込みを一つの一時記憶領域でおこなう場合のように、一時記憶領域に１回分の書き込みをおこない、これを表示装置へ転送して消去するまで、次の書き込みができない、というようなことはなく、複数回分の書き込みを連続しておこなうことができる。さらに、複数回分の書き込みデータを連続して転送することができるため、一の表示データのディスプレイ駆動回路への転送にかかる時間を短縮することができる。結果的に、一の表示データの表示にかかる時間を短縮することができる。また、複数回分の部分表示データを重ねて転送することができるため、複数回数分の部分表示データの転送回数を抑えることができ、結果的に、複数回数分の部分表示データの転送時間を短縮することができる。また、複数の部分表示データの書き込みと転送とを並列しておこなうことができるため、複数の表示データの表示にかかる時間を短縮することができる。また、複数回分の書き込みデータを一括して転送すると、表示データが段階的に表示され、ユーザーに対して違和感を与えてしまうが、このように書き込みと転送とを交互におこなうことで、複数回分の書き込みデータが徐々に転送されるので、表示データを滑らかに表示することができ、ユーザーに対して違和感を与えることもない。
【０００７】
上記表示制御方法において、前記確保工程では、前記表示領域を複数の部分表示領域に区分し、これに対応させて、複数の部分一時記憶領域に区分された前記一時記憶領域を、前記バッファーメモリー上に確保し、前記転送工程では、前記複数の部分一時記憶領域のうち、前記表示データが書き込まれた部分一時記憶領域については、当該部分一時記憶領域のデータを前記表示装置へ転送し、前記表示データが書き込まれなかった部分一時記憶領域については、当該部分一時記憶領域のデータを前記表示装置へ転送しないこととしてもよい。かかる構成によれば、表示データが書き込まれた一時記憶領域のデータをそのまま転送するのではなく、表示データが書き込まれた部分一時記憶領域のデータのみをディスプレイ駆動回路１０６へ転送することとしたので、ディスプレイ駆動回路への転送データ量を抑え、一の表示データのディスプレイ駆動回路への転送にかかる時間をより短縮することができ、結果的に、一の表示データの表示にかかる時間をより短縮することができる。
【０００８】
上記表示制御方法において、前記転送工程において前記部分一時記憶領域のデータを前記表示装置へ転送した時点では、当該部分一時記憶領域に書き込まれている古い部分表示データを消去せず、前記転送工程において前記部分一時記憶領域のデータを前記表示装置へ転送した後、前記書き込み工程において当該部分一時記憶領域に対して新たな部分表示データを書き込む際に、当該部分一時記憶領域に書き込まれている古い部分表示データを消去することとしてもよい。かかる構成によれば、部分表示データを消去する処理を必要最小限にとどめることができるうえ、既に転送した表示データを再び転送してしまうこともない。
【０００９】
また、本発明の第２の態様の表示制御装置は、一の表示データに応じた画像を表示する場合に、当該画像の表示位置に対応する複数の画素のそれぞれに対して、所定回数の電圧印加をおこなう表示駆動回路による表示を制御する表示制御装置であって、表示データを一時的に格納するバッファーメモリー上に、前記表示装置の表示領域の全画素分のデータを一時的に記憶することができる一時記憶領域を複数確保する確保部と、表示データを取得する取得部と、複数の前記一時記憶領域のうち前記所定回数分の一時記憶領域のそれぞれに対して、取得された前記表示データを書き込む書き込み部と、複数の前記一時記憶領域のうち一の一時記憶領域に書き込まれている表示データを、前記表示駆動回路へ転送する転送部とを備え、前記確保部によって、前記所定回数分以上の前記一時記憶領域を確保し、一の表示データが所定の書き込み時間毎の複数の部分表示データに区切られ、この複数の部分表示データを順次前記表示装置に表示させる場合、前記取得部が前記部分表示データを取得するごとに、前記書き込み部によって、当該部分表示データを最初に書き込む前記一時記憶領域を１つずらして、前記所定回数分の一時記憶領域のそれぞれに対して、当該部分表示データを所定の順番で書き込み、前記転送部によって、当該部分表示データが最初に書き込まれた前記一時記憶領域に書き込まれている部分表示データを、前記表示装置へ転送することを特徴とする。上記本発明に係る表示制御装置によれば、複数回分の書き込みを一つの一時記憶領域でおこなう場合のように、一時記憶領域に１回分の書き込みをおこない、これを表示装置へ転送して消去するまで、次の書き込みができない、というようなことはなく、複数回分の書き込みを連続しておこなうことができる。さらに、複数回分の書き込みデータを連続して転送することができるため、一の表示データのディスプレイ駆動回路への転送にかかる時間を短縮することができる。結果的に、一の表示データの表示にかかる時間を短縮することができる。また、複数回分の部分表示データを重ねて転送することができるため、複数回数分の部分表示データの転送回数を抑えることができ、結果的に、複数回数分の部分表示データの転送時間を短縮することができる。また、複数の部分表示データの書き込みと転送とを並列しておこなうことができるため、複数の表示データの表示にかかる時間を短縮することができる。また、複数回分の書き込みデータを一括して転送すると、表示データが段階的に表示され、ユーザーに対して違和感を与えてしまうが、このように書き込みと転送とを交互におこなうことで、複数回分の書き込みデータが徐々に転送されるので、表示データを滑らかに表示することができ、ユーザーに対して違和感を与えることもない。
【図面の簡単な説明】
【００１０】
【図１】端末装置１００の外観を示す。
【図２】端末装置１００のハードウェア構成を示す。
【図３】表示制御回路３００の機能構成を示す。
【図４】バッファーメモリー１０８上に確保された一時記憶領域の一例を示す。
【図５】表示制御回路３００による表示制御処理の手順の一例を示す。
【図６】一時記憶領域に対して部分表示データが書き込まれていく様子を示す。
【図７】一時記憶領域に対して部分表示データが書き込まれていく様子を示す。
【図８】一時記憶領域に対して部分表示データが書き込まれていく様子を示す。
【図９】一時記憶領域に対して部分表示データが書き込まれていく様子を示す。
【図１０】一時記憶領域に対して部分表示データが書き込まれていく様子を示す。
【発明を実施するための形態】
【００１１】
図１は、実施形態に係る端末装置１００の外観を示す。端末装置１００は、各種情報の表示および入力が可能な情報処理装置である。端末装置１００は、本発明にかかる情報処理装置の一例である。端末装置１００としては、たとえば電子ブック、ＰＤＡ（Ｐｅｒｓｏｎａｌ  Ｄｉｇｉｔａｌ  Ａｓｓｉｓｔａｎｔ）、携帯電話機、携帯音楽再生装置、携帯動画再生装置、携帯ナビゲーション装置などが挙げられる。
【００１２】
端末装置１００は、筐体１１０、ディスプレイ１２０、およびタッチパネル１３０を備える。筐体１１０は、後述する表示制御回路３００、ＣＰＵ１０２、メモリー１０４、ディスプレイ駆動回路１０６、バッファーメモリー１０８、ディスプレイ１２０、タッチパネル１３０、電源、電源制御回路、通信インターフェースなど、端末装置１００が有する各種ハードウェアを収容する。
【００１３】
ディスプレイ１２０は、筐体１１０の正面（ユーザーがディスプレイ１２０の表示画面を平面視する際にユーザーと対向する面）に形成されている開口部から表示面を露出するように、筐体１１０の内部に設けられている。ディスプレイ１２０は、各種情報を表示する。たとえば、ディスプレイ１２０は、タッチパネル１３０に対して手書き入力された文字や図形を表示することもできる。ディスプレイ１２０は、文字、図形、画像、管理情報、ボタン、アイコンなどを表示することができる。
【００１４】
ディスプレイ１２０は、本発明にかかる表示装置の一例である。すなわち、ディスプレイ１２０は、一の表示データに応じた画像を表示する場合に、当該一の表示データの表示位置に対応する複数の画素のそれぞれに対して、この表示に必要な所定回数分（以下、「必要電圧印加回数」と示す。）の電圧印加をおこなう表示装置である。たとえば、本実施形態の端末装置１００は、ディスプレイ１２０として、一の表示データに応じた画像を表示する際に、当該一の表示データに対応する複数の画素のそれぞれに対して４回の電圧印加をおこなう、電気泳動方式を利用した表示装置を用いている。このディスプレイ１２０では、あるデータに応じた画像を表示する際に、たとえば、１回目の電圧印加では２５％の濃度で表示され、２回目の電圧印加では５０％の濃度で表示され、３回目の電圧印加では７５％の濃度で表示され、４回目の電圧印加では１００％の濃度で表示される。以降の説明においては、このようにディスプレイ１２０の必要電圧印加回数が４回であるものとして説明するが、これに限定するものではない。なお、本実施形態では、ディスプレイ１２０と、このディスプレイ１２０を駆動するディスプレイ駆動回路１０６とを区別して説明する。このため、表示制御回路３００から表示データが転送されるのはディスプレイ駆動回路１０６としている。本実施形態のように、ディスプレイ１２０と、このディスプレイ１２０を駆動するディスプレイ駆動回路１０６とを区別するような場合、本発明にかかる表示装置（すなわち、転送部による表示データの転送先）は、ディスプレイ駆動回路１０６も含むこととなる。
【００１５】
タッチパネル１３０は、ディスプレイ１２０の表示面に重ねて設けられており、端末装置１００は、このタッチパネル１３０によって、スタイラスペン１１５などによる情報入力を受け付ける。たとえば、タッチパネル１３０により、手書きの文字を表す文字データや手書きの図形を表す図形データを入力することができる。端末装置１００は、タッチパネル１３０の代わりにディスプレイ１２０の表示面の下に設けた電磁誘導センサーボード等によって、スタイラスペン１１５などによる情報入力を受け付けてもよい。
【００１６】
図２は、端末装置１００のハードウェア構成を示す。図２に示すように、端末装置１００は、図１で説明したディスプレイ１２０およびタッチパネル１３０に加えて、ＣＰＵ１０２、メモリー１０４、ディスプレイ駆動回路１０６、バッファーメモリー１０８、および表示制御回路３００を備える。これ以外にも、端末装置１００は、電源、ハードディスク、電源制御回路、通信インターフェース等を有しているが、これらは本実施形態の説明に必要ないため、図示および説明を省略する。
【００１７】
ＣＰＵ１０２は、各種処理をおこなう。メモリー１０４は、ＣＰＵ１０２が使用する各種データおよび各種プログラムを格納する。ＣＰＵ１０２は、処理に必要なプログラムおよびデータをメモリー１０４から読み出し、メモリー１０４から読み出したデータを用いて、メモリー１０４から読み出したプログラムを実行することにより、所定の処理をおこなう。
【００１８】
ＣＰＵ１０２によっておこなわれた処理が処理結果の表示を伴う場合、ＣＰＵ１０２は、処理結果を示す表示データを、ディスプレイ駆動回路１０６へ送る。ディスプレイ駆動回路１０６は、本発明の表示駆動回路の一例であって、ＣＰＵ１０２から受け取った表示データに応じた画像をディスプレイ１２０に表示させる。具体的には、ＣＰＵ１０２は、上記表示データを、ＳＤＲＡＭ（Synchronous Dynamic Random Access Memory）などのバッファーメモリー１０８へ一時的に記憶させる。ディスプレイ駆動回路１０６は、バッファーメモリー１０８に記憶されている表示データを読み取る。ディスプレイ駆動回路１０６は、ディスプレイ１２０を駆動し、読み取った表示データに応じた画像をディスプレイ１２０に表示させる。
【００１９】
たとえば、タッチパネル１３０によって手書きの文字データや手書きの図形データが入力された場合、ＣＰＵ１０２は、タッチパネル１３０によって入力されたデータ（以下、「入力データ」と示す。）をタッチパネル１３０から受け取る。具体的には、入力データとは、タッチパネル１３０の入力検出面における入力位置（座標）を示すものである。手書き文字や手書き図形などが入力された場合には、入力データには、文字または図形の軌跡上において時系列に連なった複数の入力位置が示される。ＣＰＵ１０２は、いわゆるレンダリング処理をおこなうことにより、受け取った入力データから、この入力データに応じた画像を表示するための表示データを生成する。さらに、ＣＰＵ１０２は、生成した表示データを、ディスプレイ駆動回路１０６へ送る。ディスプレイ駆動回路１０６は、ディスプレイ１２０を駆動し、読み取った表示データに応じた画像をディスプレイ１２０に表示させる。このようにして、タッチパネル１３０によって入力された手書きの文字データや手書きの図形データに応じた画像がディスプレイ１２０に表示される。
【００２０】
表示制御回路３００は、ＣＰＵ１０２が設けられている主回路とは別の制御回路であり、ＣＰＵ１０２からディスプレイ駆動回路１０６への表示データの転送経路上に設けられている。表示制御回路３００は、ＣＰＵ１０２から供給された表示データを受け取り、この表示データのディスプレイ駆動回路１０６への転送を制御する。ディスプレイ１２０は、ディスプレイ駆動回路１０６が表示データを受け取ったことに応じて、この表示データに応じた画像を表示する。このため、表示制御回路３００は、ディスプレイ駆動回路１０６への表示データの転送を制御することで、結果的に、ディスプレイ１２０による表示データの表示を制御することになる。表示制御回路３００による制御内容を簡単に説明すると、一の表示データをディスプレイ１２０に表示させるためには、上述したとおり、この表示データのディスプレイ駆動回路１０６へ転送処理（すなわち、書き込み処理）を４回おこなう必要があるが、この４回分の転送データを並列に処理することで、表示データの転送処理を効率的におこなう。表示制御回路３００による具体的な制御方法については、以降において説明する。
【００２１】
まず、図３を参照して、表示制御回路３００の機能構成について説明する。図３は、表示制御回路３００の機能構成を示す。図３において、表示制御回路３００は、確保部３０２、取得部３０４、書き込み部３０６、および転送部３０８を備える。
【００２２】
確保部３０２は、ディスプレイ１２０に表示させる表示データを一時的に格納するバッファーメモリー１０８上に、ディスプレイ１２０の表示領域の全画素分のデータを一時的に記憶することができる一時記憶領域を、複数確保する。具体的には、確保部３０２は、バッファーメモリー１０８上に、上記一時記憶領域を、必要電圧印加回数分以上確保する。たとえば、ディスプレイ１２０の表示領域の画像解像度がＱｕａｄ−ＸＧＡ（Extended Graphics Array）であり、必要電圧印加回数が４回であれば、確保部３０２は、バッファーメモリー１０８上に、２０４８×１５３６画素分のデータを一時的に記憶することができる一時記憶領域を、４つ以上確保する。ここで、確保部３０２は、確保した複数の一時記憶領域に対する表示データの書き込み順序が常に所定の順序に保たれるように、確保した複数の一時記憶領域に対し、シーケンス番号を付与する。
【００２３】
取得部３０４は、前記表示領域に表示させる表示データを取得する。本実施形態では、上述したとおり、ＣＰＵ１０２から表示データが供給されてくるため、取得部３０４は、このＣＰＵ１０２から供給されてきた表示データを取得する。
【００２４】
書き込み部３０６は、確保部３０２がバッファーメモリー１０８上に確保した複数の一時記憶領域のうちの、必要電圧印加回数分の一時記憶領域のそれぞれに対し、取得部３０４が取得した表示データを書き込む。転送部３０８は、必要電圧印加回数分の一時記憶領域のうちの、一の一時記憶領域に書き込まれている表示データを、ディスプレイ駆動回路１０６へ転送する。転送部３０８は、この転送処理を繰り返し複数回（必要電圧印加回数分）おこなうことで、書き込み部３０６によって必要電圧印加回数分の一時記憶領域に書き込まれている表示データのそれぞれを、ディスプレイ駆動回路１０６へ転送する。たとえば、必要電圧印加回数が４回であれば、書き込み部３０６は、バッファーメモリー１０８上に確保された４つの一時記憶領域のそれぞれに対して、取得部３０４が取得した表示データを書き込む。そして、転送部３０８は、この４つの一時記憶領域に書き込まれている表示データのそれぞれを、順次、ディスプレイ駆動回路１０６へ転送する。
【００２５】
ここで、書き込み部３０６は、複数の一時記憶領域に対し、常に所定の順序で表示データを書き込む。これに応じて、転送部３０８は、必要電圧印加回数分の一時記憶領域に書き込まれている表示データのそれぞれを、書き込まれた順にディスプレイ駆動回路１０６へ転送することで、常に所定の順序でディスプレイ駆動回路１０６へ転送する。たとえば、上述したとおり、確保部３０２によって確保された複数の一時記憶領域には、確保部３０２により、シーケンス番号が付与されている。書き込み部３０６は、常にシーケンス番号の昇順または降順に表示データを書き込む。また、シーケンス番号の昇順に表示データを書き込む場合は、終端のシーケンス番号に達した場合には、先頭のシーケンス番号に戻り、シーケンス番号の降順に表示データを書き込む場合は、先頭のシーケンス番号に達した場合には、終端のシーケンス番号に戻る、といったことを繰り返すことで、複数の一時記憶領域に対し、常に所定の順序で表示データを書き込む。これに応じて、転送部３０８は、複数の一時記憶領域に書き込まれている表示データを、常に所定の順序でディスプレイ駆動回路１０６へ転送する。
【００２６】
また、確保部３０２は、ディスプレイ１２０の表示領域を複数の部分表示領域に区分し、これに対応させて、複数の部分一時記憶領域に区分された一時記憶領域を、バッファーメモリー１０８上に確保する。たとえば、確保部３０２は、ディスプレイ１２０の表示領域を、ｎ×ｍ画素またはｎ×ｎ画素を有する複数列および複数行のブロックに区分し、これに対応させて、ｎ×ｍ画素またはｎ×ｎ画素分のデータを格納することができる複数列および複数行の部分一時記憶領域に区分された一時記憶領域を、バッファーメモリー１０８上に確保する。
【００２７】
このように、確保部３０２が複数の部分一時記憶領域に区分された一時記憶領域を確保するので、転送部３０８は、一時記憶領域の全領域分のデータをディスプレイ駆動回路１０６へ転送することなく、一時記憶領域のうちの必要な部分一時記憶領域、すなわち、表示データが書き込まれた部分一時記憶領域のデータのみを、ディスプレイ駆動回路１０６へ転送することができる。具体的には、転送部３０８は、表示データが書き込まれた一時記憶領域が有する複数の部分一時記憶領域のうち、表示データが書き込まれた部分一時記憶領域については、当該部分一時記憶領域のデータをディスプレイ駆動回路１０６へ転送し、表示データが書き込まれなかった部分一時記憶領域については、当該部分一時記憶領域のデータをディスプレイ駆動回路１０６へ転送しない。
【００２８】
図４は、バッファーメモリー１０８上に確保された一時記憶領域の一例を示す。たとえば、図４に示す例では、バッファーメモリー１０８上には、確保部３０２により、５つの一時記憶領域５０２Ａ〜Ｅが確保されている。これら５つの一時記憶領域５０２Ａ〜Ｅに対し、確保部３０２により、シーケンス番号「１」〜「５」が付与されている。ここで、ディスプレイ１２０の表示領域は、６列×７行の４２個のブロックに区分されており、一のブロックはｎ×ｎ個の画素を有している。これに対応して、一時記憶領域５０２Ａ〜Ｅのそれぞれは、６列×７行の４２個の部分一時記憶領域５０４に区分されており、一の部分一時記憶領域５０４はｎ×ｎ画素分のデータを格納することができる。
【００２９】
次に、表示制御回路３００により、複数の部分表示データをディスプレイ１２０に表示させる場合について説明する。一の表示データが複数の部分表示データに区切られ、この複数の部分表示データを順次ディスプレイ１２０に表示させる場合がある。ここでいう「部分表示データ」とは、一の表示データを所定の書き込み時間毎に分割して得られる複数のデータのうち一のデータを意味する。たとえば、タッチパネル１３０によって手書きの文字や図形など、ある程度の書き込み時間を要して入力データがされた場合には、タッチパネル１３０は、この入力データを所定時間ごとの部分入力データに区切ってＣＰＵ１０２へ供給する。ＣＰＵ１０２は、部分入力データが供給されるごとに、供給された部分入力データから表示データを生成する。このようにして生成された表示データは、一の表示データが所定の書き込み時間毎に区切られた表示データであるといえる。したがって、本実施形態では、このような表示データを、「部分表示データ」という。
【００３０】
この場合、表示制御回路３００では、ＣＰＵ１０２から部分表示データが一つずつ送られてくると、取得部３０４が部分表示データを取得するごとに、書き込み部３０６は、当該部分表示データを最初に書き込む一時記憶領域を１つずらして、必要電圧印加回数分の一時記憶領域のそれぞれに対して、当該部分表示データを所定の順番で書き込む。そして、転送部３０８は、当該部分表示データが最初に書き込まれた一時記憶領域に書き込まれている部分表示データを、ディスプレイ駆動回路１０６へ転送する。
【００３１】
たとえば、図４に示したように一時記憶領域５０２Ａ〜Ｅが確保された場合、１番目の部分表示データを取得部３０４が取得すると、書き込み部３０６は、この部分表示データを、一時記憶領域５０２Ａ、一時記憶領域５０２Ｂ、一時記憶領域５０２Ｃ、一時記憶領域５０２Ｄの順に書き込み、転送部３０８は、一時記憶領域５０２Ａに書き込まれている部分表示データを、ディスプレイ駆動回路１０６へ転送する。
【００３２】
つぎに、２番目の部分表示データを取得部３０４が取得すると、書き込み部３０６は、この部分表示データを、一時記憶領域５０２Ｂ、一時記憶領域５０２Ｃ、一時記憶領域５０２Ｄ、一時記憶領域５０２Ｅの順に書き込み、転送部３０８は、一時記憶領域５０２Ｂに書き込まれている部分表示データを、ディスプレイ駆動回路１０６へ転送する。
【００３３】
さらに、３番目の部分表示データを取得部３０４が取得すると、書き込み部３０６は、この部分表示データを、一時記憶領域５０２Ｃ、一時記憶領域５０２Ｄ、一時記憶領域５０２Ｅ、一時記憶領域５０２Ａの順に書き込み、転送部３０８は、一時記憶領域５０２Ｃに書き込まれている部分表示データを、ディスプレイ駆動回路１０６へ転送する。
【００３４】
書き込み部３０６が最初に部分表示データを書き込む一時記憶領域は、一時記憶領域５０２Ａ、一時記憶領域５０２Ｂ、一時記憶領域５０２Ｃ、一時記憶領域５０２Ｄの組み合わせに限らない。また、書き込み部３０６が最初に部分表示データを書き込む一時記憶領域の順序は、一時記憶領域５０２Ａ、一時記憶領域５０２Ｂ、一時記憶領域５０２Ｃ、一時記憶領域５０２Ｄの順に限らない。
【００３５】
図５は、表示制御回路３００による表示制御処理の手順の一例を示す。図６〜図１０は、一時記憶領域に対して部分表示データが書き込まれていく様子を示す。以降においては、図５を参照して、表示制御回路３００による表示制御処理の手順を説明しながら、適宜図６〜図１０を参照して、一時記憶領域に対して部分表示データが書き込まれていく様子を説明する。
【００３６】
まず、確保部３０２が、バッファーメモリー１０８上に、ディスプレイ１２０の表示領域の全画素分のデータを一時的に記憶することができる一時記憶領域を、必要電圧印加回数分以上確保し、確保した一時記憶領域の各々にシーケンス番号「１」〜「５」を付与する（ステップＳ７０２）。既に説明したように、本実施形態では、必要電圧印加回数が４回であるから、ここでは、図４に示したとおり、５つの一時記憶領域５０２Ａ〜Ｅを確保したこととする。ここで、表示制御回路３００は、書き込み対象の一時記憶領域および転送対象の一時記憶領域を特定する際に用いるカウント変数「buffer_cnt」を「１」に初期化しておく（ステップＳ７０４）
【００３７】
つぎに、取得部３０４が、ＣＰＵ１０２から部分表示データを取得すると（ステップＳ７０６）、書き込み部３０６は、確保部３０２が確保した５つの一時記憶領域５０２Ａ〜Ｅのうちの、カウント変数「buffer_cnt」の値に対応するシーケンス番号を有する一時記憶領域を最初に書き込む一時記憶領域として、シーケンス番号が連続する４つ（必要電圧印加回数分）の一時記憶領域のそれぞれに対し、取得部３０４が取得した部分表示データを書き込む（ステップＳ７０８）。たとえば、図６に示す例では、表示制御回路３００においては、取得部３０４により、部分表示データ８００が取得されている。これにより、バッファーメモリー１０８上に確保された５つの一時記憶領域５０２Ａ〜Ｅのうちの、カウント変数「buffer_cnt」の値「１」に対応するシーケンス番号「１」を有する一時記憶領域５０２Ａを最初に書き込む一時記憶領域として、シーケンス番号が連続する４つ（必要電圧印加回数分）の一時記憶領域である一時記憶領域５０２Ａ、一時記憶領域５０２Ｂ、一時記憶領域５０２Ｃ、一時記憶領域５０２Ｄのそれぞれに対し、一時記憶領域５０２Ａ、一時記憶領域５０２Ｂ、一時記憶領域５０２Ｃ、一時記憶領域５０２Ｄの順に、部分表示データ８００が書き込まれている。
【００３８】
図５に戻り、このように書き込み部３０６が一つの部分表示データを４つ（必要電圧印加回数分）の一時記憶領域のそれぞれに書き込むごとに、転送部３０８は、カウント変数「buffer_cnt」−１番目の一時記憶領域を対象として、当該一時記憶領域に書き込まれている部分表示データを、ディスプレイ駆動回路１０６へ転送する（ステップＳ７１０）。ここでは、転送部３０８は、当該一時記憶領域の全てのデータをディスプレイ駆動回路１０６へ転送するのではなく、ステップＳ７０８で部分表示データが書き込まれた部分一時記憶領域のデータをディスプレイ駆動回路１０６へ転送する。なお、ステップＳ７０８による初回の書き込み時（すなわち、図６に示した状態の時）は、カウント変数「buffer_cnt」−１番目の一時記憶領域（図６に示す例では、一時記憶領域５０２Ｅ）には、部分表示データが書き込まれていないため、上記転送処理をおこなわない。
【００３９】
ここで、表示制御回路３００は、部分一時記憶領域のデータをディスプレイ駆動回路１０６へ転送した後、データを転送した部分一時記憶領域に残されている部分表示データを消去しないでそのまま残しておく。その代わり、データを転送した部分一時記憶領域に対して、新たな部分表示データを書き込む際に、当該部分一時記憶領域に残されている部分表示データを消去してから、当該部分一時記憶領域に対して、新たな部分表示データを書き込む。このようにすることで、バッファーメモリー１０８に記憶されているデータを消去する処理を必要最小限にとどめることができるうえ、既に転送した表示データを再び転送してしまうこともない。なお、表示制御回路３００は、部分一時記憶領域に部分表示データを書き込んだ後、当該部分一時記憶領域に対して、データを転送していない旨を識別するフラグを立てておき、部分一時記憶領域のデータを転送した後、当該部分一時記憶領域に対して、データを転送済みである旨を識別するフラグを立てておくことにより、当該部分一時記憶領域に対して新たな部分表示データを書き込む際に、当該部分一時記憶領域に既に書き込まれている部分表示データを消去すれば良いのか否かを判断することができる。
【００４０】
図５に戻り、その後、表示制御回路３００においては、新たな部分表示データがＣＰＵ１０２から供給されてくれば、（ステップＳ７１２：Ｙｅｓ）、その度に、カウント変数「buffer_cnt」の値を「１」増やし（ステップＳ７１４）、新たに供給されてきた部分表示データを取得し（ステップＳ７０６）、この部分表示データを書き込み（ステップＳ７０８）、カウント変数「buffer_cnt」−１番目の一時記憶領域の部分表示データを転送する（ステップＳ７１０）。
【００４１】
一方で、新たな部分表示データがＣＰＵ１０２から供給されてこなければ、（ステップＳ７１２：Ｎｏ）、カウント変数「buffer_cnt」の値を「１」増やし（ステップＳ７１６）、ステップＳ７１０と同様にカウント変数「buffer_cnt」−１番目の一時記憶領域の部分表示データを転送し（ステップＳ７１８）、全ての部分表示データが転送されるまで、ステップＳ７１６およびステップＳ７１８を繰り返す。
【００４２】
たとえば、図７では、部分表示データ８００に続く部分表示データ９００がＣＰＵ１０２から供給されており、このときの、カウント変数「buffer_cnt」は「２」である。これにより、一時記憶領域５０２Ａ〜Ｅのうちの、カウント変数「buffer_cnt」の値「２」に対応するシーケンス番号「２」を有する一時記憶領域５０２Ｂを最初に書き込む一時記憶領域とする、シーケンス番号が連続する４つの一時記憶領域である一時記憶領域５０２Ｂ〜Ｅのそれぞれに対し、書き込み部３０６により、一時記憶領域５０２Ｂ、一時記憶領域５０２Ｃ、一時記憶領域５０２Ｄ、一時記憶領域５０２Ｅの順に、部分表示データ９００（便宜上点線で示す）が書き込まれている。そして、このように部分表示データ９００が書き込まれた後、カウント変数「buffer_cnt」−１番目の一時記憶領域に対応するシーケンス番号「１」を有する一時記憶領域５０２Ａに書き込まれている部分表示データが、転送部３０８によりディスプレイ駆動回路１０６へ転送される。このとき、転送部３０８は、一時記憶領域５０２Ａの全てのデータをディスプレイ駆動回路１０６へ転送するのではなく、複数の部分一時記憶領域５０４のうち、書き込まれている部分表示データがまだ転送されていない部分一時記憶領域５０４のデータをディスプレイ駆動回路１０６へ転送する。図７の例では、転送部３０８は、一時記憶領域５０２Ａのうち、部分表示データ８００が書き込まれている部分一時記憶領域５０４である、２列目の４行目、２列目の５行目、および３列目の４行目の、３つの部分一時記憶領域５０４のデータをディスプレイ駆動回路１０６へ転送する。
【００４３】
また、図８では、部分表示データ９００に続く部分表示データ１０００がＣＰＵ１０２から供給されており、このときの、カウント変数「buffer_cnt」は「３」である。これにより、一時記憶領域５０２Ａ〜Ｅのうちの、カウント変数「buffer_cnt」の値「３」に対応するシーケンス番号「３」を有する一時記憶領域５０２Ｃを最初に書き込む一時記憶領域とする、シーケンス番号が連続する４つの一時記憶領域である一時記憶領域５０２Ｃ、一時記憶領域５０２Ｄ、一時記憶領域５０２Ｅ、一時記憶領域５０２Ａのそれぞれに対し、書き込み部３０６により、一時記憶領域５０２Ｃ、一時記憶領域５０２Ｄ、一時記憶領域５０２Ｅ、一時記憶領域５０２Ａの順に、部分表示データ１０００（便宜上点線で示す）が書き込まれている。ここで、一時記憶領域５０２Ａにおいては、部分表示データ１０００が書き込まれるべき複数の部分一時記憶領域５０４のうち、２列目５行目の部分一時記憶領域５０４には、部分表示データ８００の一部が残っている。また、一時記憶領域５０２Ａに残っている部分表示データ８００は、図７で説明したように既に転送されている。そこで書き込み部３０６は、部分表示データ８００のうち２列目５行目の部分一時記憶領域５０４に残っている部分を消去した後に、部分表示データ１０００を一時記憶領域５０２Ａに書き込む。このとき、書き込み部３０６は、部分表示データ８００が残っている他の部分一時記憶領域５０４に対しては、部分表示データ８００を消去しないが、消去するようにしても構わない。このように部分表示データ１０００が書き込まれた後、カウント変数「buffer_cnt」−１番目の一時記憶領域に対応するシーケンス番号「２」を有する一時記憶領域５０２Ｂに書き込まれている部分表示データが、転送部３０８によりディスプレイ駆動回路１０６へ転送される。このとき、転送部３０８は、一時記憶領域５０２Ｂの全てのデータをディスプレイ駆動回路１０６へ転送するのではなく、書き込まれている部分表示データがまだ転送されていない部分一時記憶領域５０４のデータをディスプレイ駆動回路１０６へ転送する。図８の例では、転送部３０８は、一時記憶領域５０２Ｂのうち、部分表示データ８００、９００が書き込まれている部分一時記憶領域５０４である、２列目の４行目と５行目、３列目の３〜５行目、および４列目の３行目と４行目の、７つの部分一時記憶領域５０４のデータをディスプレイ駆動回路１０６へ転送する。
【００４４】
また、図９では、部分表示データ１０００に続く部分表示データ１１００がＣＰＵ１０２から供給されており、このときの、カウント変数「buffer_cnt」は「４」である。これにより、一時記憶領域５０２Ａ〜Ｅのうちの、カウント変数「buffer_cnt」の値「４」に対応するシーケンス番号「４」を有する一時記憶領域５０２Ｄを最初に書き込む一時記憶領域とする、シーケンス番号が連続する４つの一時記憶領域である一時記憶領域５０２Ｄ、一時記憶領域５０２Ｅ、一時記憶領域５０２Ａ、一時記憶領域５０２Ｂのそれぞれに対し、書き込み部３０６により、一時記憶領域５０２Ｄ、一時記憶領域５０２Ｅ、一時記憶領域５０２Ａ、一時記憶領域５０２Ｂの順に、部分表示データ１１００（便宜上点線で示す）が書き込まれている。そして、このように部分表示データ１１００が書き込まれた後、転送部３０８により、カウント変数「buffer_cnt」−１番目の一時記憶領域に対応するシーケンス番号「３」を有する一時記憶領域５０２Ｃに書き込まれている部分表示データが、ディスプレイ駆動回路１０６へ転送される。このとき、転送部３０８は、一時記憶領域５０２Ｃの全てのデータをディスプレイ駆動回路１０６へ転送するのではなく、書き込まれている部分表示データがまだ転送されていない部分一時記憶領域５０４のデータをディスプレイ駆動回路１０６へ転送する。図９の例では、転送部３０８は、一時記憶領域５０２Ｃのうち、部分表示データ８００、９００、１０００が書き込まれている部分一時記憶領域５０４である、２列目の４〜６行目、３列目の３〜６行目、および４列目の３行目と４行目の、９つの部分一時記憶領域５０４のデータをディスプレイ駆動回路１０６へ転送する。
【００４５】
また、図１０では、部分表示データ１１００に続く部分表示データ１２００がＣＰＵ１０２から供給されており、このときの、カウント変数「buffer_cnt」は「５」である。これにより、一時記憶領域５０２Ａ〜Ｅのうちの、カウント変数「buffer_cnt」の値「５」に対応するシーケンス番号「５」を有する一時記憶領域５０２Ｅを最初に書き込む一時記憶領域とする、シーケンス番号が連続する４つの一時記憶領域である一時記憶領域５０２Ｅ、一時記憶領域５０２Ａ、一時記憶領域５０２Ｂ、一時記憶領域５０２Ｃのそれぞれに対し、書き込み部３０６により、一時記憶領域５０２Ｅ、一時記憶領域５０２Ａ、一時記憶領域５０２Ｂ、一時記憶領域５０２Ｃの順に、部分表示データ１２００（便宜上点線で示す）が書き込まれている。そして、このように部分表示データ１２００が書き込まれた後、転送部３０８により、カウント変数「buffer_cnt」−１番目の一時記憶領域に対応するシーケンス番号「４」を有する一時記憶領域５０２Ｄに書き込まれている部分表示データが、ディスプレイ駆動回路１０６へ転送される。このとき、転送部３０８は、一時記憶領域５０２Ｄの全てのデータをディスプレイ駆動回路１０６へ転送するのではなく、書き込まれている部分表示データがまだ転送されていない部分一時記憶領域５０４のデータをディスプレイ駆動回路１０６へ転送する。図１０の例では、転送部３０８は、一時記憶領域５０２Ｄのうち、部分表示データ８００、９００、１０００、１１００が書き込まれている部分一時記憶領域５０４である、１列目の２〜６行目、２列目の４〜６行目、３列目の３〜６行目、および４列目の３行目と４行目の、１４つの部分一時記憶領域５０４のデータをディスプレイ駆動回路１０６へ転送する。
【００４６】
これ以降、新たな部分表示データがＣＰＵ１０２から供給されてこなければ、転送部３０８は、書き込み部３０６による書き込みを待たずに、一時記憶領域５０２Ｅ、一時記憶領域５０２Ａ、一時記憶領域５０２Ｂ、一時記憶領域５０２Ｃの順に、部分表示データが書き込まれている部分一時記憶領域５０４のデータをディスプレイ駆動回路１０６へ転送する。この場合も、転送部３０８は、書き込まれている部分表示データがまだ転送されていない部分一時記憶領域５０４のデータをディスプレイ駆動回路１０６へ転送し、既に転送された部分表示データが残っている部分一時記憶領域５０４のデータについては、ディスプレイ駆動回路１０６へ転送しない。
【００４７】
このように、本実施形態の表示制御回路３００によれば、複数の一時記憶領域のそれぞれに対して表示データを書き込み、これらを順次ディスプレイ駆動回路１０６へ転送することとした。これにより、複数回分の書き込みを一つの一時記憶領域でおこなう場合のように、１回分の書き込みデータを転送して消去するまで、次の書き込みができない、というようなことはなく、複数回分の書き込みデータの書き込みを並列しておこなうことができ、複数回分の書き込みを連続しておこなうことができる。よって、一の表示データのディスプレイ駆動回路１０６への転送にかかる時間を短縮することができる。結果的に、一の表示データの表示にかかる時間を短縮することができる。
【００４８】
また、本実施形態の表示制御回路３００によれば、表示データが書き込まれた一時記憶領域のデータをそのまま転送したり、ライン単位（画素行単位）で転送したりするのではなく、表示データが書き込まれた部分一時記憶領域のデータのみをディスプレイ駆動回路１０６へ転送することとしたので、ディスプレイ駆動回路１０６への転送データ量を抑え、一の表示データのディスプレイ駆動回路１０６への転送にかかる時間をより短縮することができる。結果的に、一の表示データの表示にかかる時間をより短縮することができる。
【００４９】
また、本実施形態によれば、複数の部分表示データを順次ディスプレイ１２０に表示させることで一の表示データをディスプレイ１２０に表示させる場合、書き込み部３０６により、複数の部分表示データごとに、当該部分表示データを最初に書き込む一時記憶領域を１つずつずらして、必要電圧印加回数分の一時記憶領域のそれぞれに対して、当該部分表示データを書き込むこととした。たとえば、図６のように最初の部分表示データを、一時記憶領域５０２Ａ、一時記憶領域５０２Ｂ、一時記憶領域５０２Ｃ、一時記憶領域５０２Ｄに書き込み、図７のように２番目の部分表示データを、一時記憶領域５０２Ｂ、一時記憶領域５０２Ｃ、一時記憶領域５０２Ｄ、一時記憶領域５０２Ｅに書き込み、図８のように３番目の部分表示データを、一時記憶領域５０２Ｃ、一時記憶領域５０２Ｄ、一時記憶領域５０２Ｅ、一時記憶領域５０２Ａに書き込み、図９のように４番目の部分表示データを、一時記憶領域５０２Ｄ、一時記憶領域５０２Ｅ、一時記憶領域５０２Ａ、一時記憶領域５０２Ｂに書き込み、図１０のように５番目の部分表示データを、一時記憶領域５０２Ｅ、一時記憶領域５０２Ａ、一時記憶領域５０２Ｂ、一時記憶領域５０２Ｃに書き込む、といった具合である。これにより、複数の部分表示データを重ねて転送することができるため、複数の部分表示データの転送回数を抑えることができ、結果的に、複数の部分表示データの転送時間を短縮することができる。たとえば、従来の方法では、５つの部分表示データを転送する場合、５（部分表示データ数）×４（必要電圧印加回数）＝２０回分の転送を必要としていた。本実施形態の方法によれば、５回分の部分表示データを転送する場合、４（必要電圧印加回数）＋（５（部分表示データ数）−１）＝８回の転送をおこなえばよく、従来の方法と比べて、転送回数を大幅に削減することができる。
【００５０】
また、本実施形態によれば、一つの部分表示データを必要電圧印加回数分の一時記憶領域のそれぞれに対して書き込むごとに、一つの一時記憶領域の部分表示データをディスプレイ駆動回路１０６へ転送することとした。これにより、複数の部分表示データの書き込みと転送とを並列しておこなうことができるため、複数の表示データの表示にかかる時間を短縮することができる。また、複数回分の書き込みデータを一括して転送すると、表示データが段階的に表示され、ユーザーに対して違和感を与えてしまうが、本実施形態のように書き込みと転送とを交互におこなうことで、複数回分の書き込みデータが徐々に転送されるので、表示データを滑らかに表示させていくことができ、ユーザーに対して違和感を与えることもない。
【００５１】
また、本実施形態によれば、部分一時記憶領域のデータをディスプレイ駆動回路１０６へ転送した後、データを転送した部分一時記憶領域に残されている部分表示データを消去しないでそのまま残しておく。その代わり、データを転送した部分一時記憶領域に対して、新たな部分表示データを部分一時記憶領域に書き込む際に、当該部分一時記憶領域に残されている部分表示データを消去してから、当該部分一時記憶領域に対して、新たな部分表示データを書き込むこととした。このようにすることで、バッファーメモリー１０８に記憶されているデータを消去する処理を必要最小限にとどめることができるうえ、既に転送した表示データを再び転送してしまうこともない。
【００５２】
本発明の表示制御方法および表示制御装置は、本実施形態の端末装置１００に限らず、一の表示データに応じた画像を表示させるために複数回の書き込みを必要とする様々な表示装置、およびこのような表示装置による表示を制御する表示制御装置に適用することができる。
【符号の説明】
【００５３】
１００  端末装置、１０２  ＣＰＵ、１０４  メモリー、１０６  ディスプレイ駆動回路、１０８  バッファーメモリー、１１０  筐体、１１５  スタイラスペン、１２０  ディスプレイ、１３０  タッチパネル、３００  表示制御回路、３０２  確保部、３０４  取得部、３０６  書き込み部、３０８  転送部
【図１】
2011257864.tif 000003
【図２】
2011257864.tif 000004
【図３】
2011257864.tif 000005
【図４】
2011257864.tif 000006
【図５】
2011257864.tif 000007
【図６】
2011257864.tif 000008
【図７】
2011257864.tif 000009
【図８】
2011257864.tif 000010
【図９】
2011257864.tif 000011
【図１０】
2011257864.tif 000012